(57)【要約】【課題】穀粒貯留タンク内の貯留穀粒を、簡単な構成の穀粒移送排出筒装置で機外へ移送排出させると共に、上下分割して折り畳み自在の上部移送筒を折り畳み操作したときに、下側の下部移送筒を上側部をカバーしようとするものである。【解決手段】穀粒貯留タンク６内の貯留穀粒を、機外へ移送排出する。下部移送筒９と、上部移送筒１０との接合部を上下方向所定位置で、折り畳み自在な折り畳み部（ロ）の下部移送筒９の上側部をカバーするカバー具８ｂを、上部移送筒１０の折り畳みの操作に連動して、開閉自在に設けた構成である。【選択図】図１
2006149321.tif 000002
【特許請求の範囲】
【請求項１】
走行車台２の上側へ載置して穀稈を脱穀する脱穀機５と、脱穀済み穀粒を受けて貯留する穀粒貯留タンク６と、該穀粒貯留タンク６の後側には、貯留穀粒を機外へ移送排出する上下方向所定位置で折り畳み自在で、一方側の側方外側へ回動自在な上部・下部移送筒１０，９と、該上部移送筒１０の移送終端部へ装着して、穀粒を機外へ排出する排穀口１１ａを有する排出筒１１等よりなる穀粒移送排出筒装置８と、排出筒１１には、フレキシブル方式で穀粒の排出位置を任意位置へ変更可能、及び任意位置で保持可能なシュータ２８等とを設けたコンバインにおいて、前記上部移送筒１０の折り畳みの作動に連動して、折り畳み部（ロ）をカバーする開閉自在なカバー具８ｂを設けたことを特徴とするコンバインの穀粒排出装置。
【請求項２】
前記上部移送筒１０の折り畳みの作動に連動して、折り畳み部（ロ）をカバーするジャバラ状の弾性材よりなるカバー具８ｂを設けたことを特徴とする請求項１に記載のコンバインの穀粒排出装置。
【発明の詳細な説明】
【技術分野】
【０００１】
穀粒貯留タンク内の貯留穀粒を機外へ移送排出する。下部移送筒と、上部移送筒との接合部を上下方向所定位置で、折り畳み自在なこの上部移送筒の折り畳みの作動に連動して、折り畳み部をカバーする開閉自在なカバー具を設けた技術であり、コンバインの穀粒排出装置として利用できる。
【背景技術】
【０００２】
例えば、コンバインの立毛穀稈の収穫作業は、刈取りされて脱穀された脱穀済み穀粒は、走行車台の上側へ載置した貯留タンク内へ供給され、一時貯留される。
前記貯留タンク内へ貯留した穀粒を、機外への排出は、この貯留タンクの後側へ設けた穀粒移送オーガ装置で移送されて機外へ排出される。
【０００３】
前記貯留タンクは、実開昭６３−５３２３１号公報で示す如く、例えば、この貯留タンクを前方の運転席下部まで延長して、上側面へ運転席を装着して設けると共に、これら貯留タンクと、運転席とは、機外の外側方へ倒伏するように起倒自在に設けている。又、穀粒を機外へ排出する穀粒移送オーガ装置は、油圧方式の回動用シリンダで回動傾斜移動制御されると共に、油圧方式の伸張用シリンダで伸張移動制御されて、所定の左右方向位置、及び所定の上下方向位置へ移動されて、穀粒は機外の所定位置へ排出される。
【特許文献１】実開昭６３−５３２３１号公報
【発明の開示】
【発明が解決しようとする課題】
【０００４】
穀粒を機外へ排出する穀粒移送排出オーガを所定の上下方向位置、及び所定の左右方向位置への移動は、油圧方向の伸張用シリンダと、回動用シリンダとにより、自動で調節移動制御されることにより、手動調節移動操作に対して大巾なコストアップであったが、この発明により、これらの問題点を解決しようとするものである。
【課題を解決するための手段】
【０００５】
このために、この発明は、請求項１に記載の発明においては、走行車台２の上側へ載置して穀稈を脱穀する脱穀機５と、脱穀済み穀粒を受けて貯留する穀粒貯留タンク６と、該穀粒貯留タンク６の後側には、貯留穀粒を機外へ移送排出する上下方向所定位置で折り畳み自在で、一方側の側方外側へ回動自在な上部・下部移送筒１０，９と、該上部移送筒１０の移送終端部へ装着して、穀粒を機外へ排出する排穀口１１ａを有する排出筒１１等よりなる穀粒移送排出筒装置８と、排出筒１１には、フレキシブル方式で穀粒の排出位置を任意位置へ変更可能、及び任意位置で保持可能なシュータ２８等とを設けたコンバインにおいて、前記上部移送筒１０の折り畳みの作動に連動して、折り畳み部（ロ）をカバーする開閉自在なカバー具８ｂを設けたことを特徴とするコンバインの穀粒排出装置としたものである。
【０００６】
例えば、コンバインで立毛穀稈の収穫作業は、走行装置２の上側へ載置した脱穀機５へ刈取り穀稈の供給を受け、この脱穀機５内を挟持移送中に脱穀され、脱穀済み穀粒は、揚送されて、穀粒貯留タンク６内へ供給され、一時貯留される。
【０００７】
前記コンバインの穀粒貯留タンク６内へ貯留した穀粒を機外への排出作業を行うときには、この穀粒貯留タンク６の後側へ設けて、貯留穀粒を機外へ移送排出する穀粒移送排出筒装置８の上下方向所定位置で、折り畳み自在に設けた、下部移送筒９の上側部の上部移送筒１０を略垂直状態へ調節操作し、この穀粒移送排出筒装置８の基部を回動中心として、例えば、右側外方外側へ回動移動操作し、上部移送筒１０の移送終端部へ設けて、穀粒を機外へ排出する排出筒１１を、排出位置の近傍部へ操作すると共に、この排出筒１１へ設けたフレキシブル方式で排出位置を変更可能なシュータ２８を、穀粒を排出に最適位置へ変形操作して、このシュータ２８の先端部より、穀粒を機外へ排出する。このシュータ２８は、穀粒を排出に最適位置へ操作した、この最適位置で保持されて、穀粒は機外へ排出される。
【０００８】
前記穀粒移送排出筒装置８の下部移送筒９の上側へ設けた上部移送筒１０は、収穫作業時、及び穀粒の排出作業が終了して、収納状態の所定位置へ折り畳み操作すると、この折り畳み作動に連動して、折り畳み部（ロ）をカバーすべく設けた、カバー具８ｂにより、下部移送筒９の上側部がカバーされて、この下部移送筒９内へ雨水の進入を防止したり、又、安全を確保している。
【０００９】
請求項２に記載の発明においては、前記上部移送筒１０の折り畳みの作動に連動して、折り畳み部（ロ）をカバーするジャバラ状の弾性材よりなるカバー具８ｂを設けたことを特徴とする請求項１に記載のコンバインの穀粒排出装置としたものである。
【００１０】
前記穀粒移送排出筒装置８の下部移送筒９の上側へ設けた上部移送筒１０は、収穫作業時、及び穀粒の排出作業が終了して、収納状態の所定位置へ折り畳み操作すると、この折り畳み作動に連動して、折り畳み部（ロ）をカバーすべく設けた、ジャバラ状の弾性材よりなるカバー具８ｂにより、下部移送筒９の上側部がカバーされて、この下部移送筒９内へ雨水の進入を防止したり、又、安全を確保している。
【発明の効果】
【００１１】
請求項１に記載の発明においては、穀粒貯留タンク６内の貯留穀粒を機外へ移送排出する。下部移送筒９と、上部移送筒１０との接合部を上下方向所定位置で、折り畳み自在なこの上部移送筒１０の折り畳みの作動に連動して、折り畳み部（ロ）の下部移送筒９の上側部をカバーする開閉自在なカバー具８ｂを設けたことにより、下部移送筒９内へ雨水の進入が防止できる。又、安全を確保することができる。
【００１２】
請求項２に記載の発明においては、穀粒貯留タンク６内の貯留穀粒を機外へ移送排出する。下部移送筒９と、上部移送筒１０との接合部を上下方向所定位置で、折り畳み自在なこの上部移送筒１０の折り畳みの作動に連動して、折り畳み部（ロ）をカバーするジャバラ状の弾性材よりなるカバー具８ｂを設けたことにより、下部移送筒９内へ雨水の進入が防止できる。又、安全を確保することができる。
【発明を実施するための最良の形態】
【００１３】
以下、本発明の一実施例を図面に基づいて説明する。
コンバイン１の走行車台２の前方部には、立毛穀稈を刈取りする刈取機４を設けると共に、上側面には、刈取り穀稈を受けて脱穀する脱穀機５と、この脱穀機５の右横側には、脱穀済みで選別済み穀粒を受けて、貯留する穀粒貯留タンク６とを設けた構成である。この穀粒貯留タンク６の後側には、貯留穀粒を機外へ移送排出する上部・下部移送筒１０，１４と、排穀口１１ａを有する排出筒１１と、シュータ２８等よりなる穀粒移送排出筒装置８を設けた構成である。上部移送筒１０と、下部移送筒１４との接合部で、上部移送筒１０を折り畳み自在に設けた構成である。この上部移送筒１０の折り畳みの作動（操作）に連動して、折り畳み部（ロ）の下部移送筒９の上側をカバーするカバー具８ｂを設けた構成である。又、穀粒移送排出筒装置８は、一方側の側方外側へ回動自在に設けた構成である。この穀粒移送排出筒装置８の上部・下部移送筒１０，１４と、排出筒１１と、シュータ２８と、カバー具８ｂ等とを主に図示して説明する。
【００１４】
前記コンバイン１の走行車台２の下側には、図８で示す如く土壌面を走行する左右一対の走行クローラ３ａを張設した走行装置３を配設し、走行車台２の上側面には、脱穀機５を載置した構成である。走行車台２の前方部の刈取機４で立毛穀稈を刈取りし、この刈取り穀稈は、この刈取機４で後方上部へ移送され、脱穀機５のフィードチェン７ａと、挟持杆７ｂとで引継ぎされて、挟持移送されながら脱穀される。脱穀済みで選別済み穀粒は、揚穀筒５ａで揚送されて、脱穀機５の右横側に配設し、前後方向へタンク移送螺旋６ａを底部へ軸支内装した。穀粒貯留タンク６内へ供給されて、一時貯留される。
【００１５】
前記走行車台２の前方部には、図８で示す如く前端位置から立毛穀稈を分離するナローガイド１２ａ、及び各分草体１２ｂと、立毛穀稈を引起す各引起装置１２ｃと、引起された穀稈を掻込みする穀稈掻込移送装置１３の各掻込装置１３ａと、掻込された穀稈を刈取る刈刃装置１２ｄと、刈取りされた穀稈を挟持移送して、脱穀機５のフィードチェン７ａと、挟持杆７ｂとへ受渡しする穀稈掻込移送装置１３の根元・穂先移送装置１４ａ・１４ｂ等からなる刈取機４を設けている。該刈取機４は、油圧駆動による伸縮シリンダ１５により、土壌面に対して、昇降自在に移動する構成である。
【００１６】
前記刈取機４の前方下部から後方上部へ傾斜する支持杆１６ａの上端部には、左右方向に支持パイプ杆１６ｂを設け、この支持パイプ杆１６ｂを走行車台２の上側面に設けた支持装置１６ｃで回動自在に支持させて、伸縮シリンダ１５の作動により、刈取機４は支持パイプ杆１６ｂを回動中心として、上下に回動する構成である。
【００１７】
前記刈取機４の穀稈掻込移送装置１３によって形成される穀稈移送経路中には、刈取られて移送される穀稈に接触作用することにより、脱穀機５へ穀稈の供給の有無を検出する穀稈センサ４ａを設けた構成である。
【００１８】
前記穀粒貯留タンク６側の前部には、図７で示す如くコンバイン１を始動、停止、及び各部を調節等の操作を行う制御装置１７ａと、これら操作を行う作業者が搭乗する操縦席１７ｂとを設け、この操縦席１７ｂの下側で、走行車台２の上側面には、エンジン１８を載置すると共に、後方部には、穀粒貯留タンク６を配設する。これら走行装置３と、刈取機４と、脱穀機５と、エンジン１８等により、コンバイン１の機体１ａを形成した構成である。
【００１９】
前記走行車台２の前端部に装架した走行用のミッションケース１９内の伝動機構１９ａの伝動経路中には、その出力に基づいて、走行車速を検出するポテンションメータ方式の車速センサ１９ｂを設けた構成である。
【００２０】
前記穀粒貯留タンク６内へ貯留した貯留穀粒を機外へ排出する。この穀粒貯留タンク６の後側には、図４〜図６で示す如くこの穀粒貯留タンク６内の前後方向へ軸支内装したタンク移送螺旋６ａの移送終端側の後端部を軸支する後支持メタル６ｃは、穀粒貯留タンク６の後側板６ｂの外側面へ装着して設けた構成である。前端部は前側板６ｄへ設けた前支持メタル６ｅで軸支した構成である。
【００２１】
前記後支持メタル６ｃには、図４〜図６で示す如く下部移送螺旋９ａを回転自在に軸支内装した下部移送筒９と、上部移送螺旋１０ａを回転自在に軸支内装した上部移送筒１０とよりなる穀粒移送排出筒装置８を設け、この下部移送筒９の基部である。下端へ装着した回動メタル９ｂを、回動中心（イ）として、回動自在に装着して設けた構成である。これら回動メタル９ｂと、下部・上部移送筒９，１０穀粒移送排出筒装置８とは、一体で、例えば、コンバイン１の機体１ａの右側方外側へ回動移動自在な構成であり、手動操作により、回動移動する構成である。
【００２２】
前記穀粒移送排出筒装置８の上部移送筒１０の移送終端部側には、図４で示す如く開口部１０ｃを設け、この開口部１０ｃで、上部移送筒１０の外径部には、移送されて来る穀粒を、機外へ排出する排穀口１１ａを下部へ設けた排出筒１１を固着して設けた構成である。
【００２３】
前記穀粒移送排出筒装置８は、上下方向所定位置で分割した構成であり、下部移送筒９の移送終端の上端部と、上部移送筒１０の移送始端の下端部との位置で折り畳みする構成である。これら下部・上部移送筒９，１０を係合状態、又は下部移送筒９に対して、上部移送筒１０を折り畳み状態にする係合具９ｃは、下部移送筒９の上端部の移送終端と、上部移送筒１０の移送始端部の下端部とへ分割して、装着して設けると共に、各係合具９ｃの各突出部９ｄには、支持軸１０ｂを挿入して設け、上部移送筒１０へ設けた係合具９ｃを軸支して設けた構成である。これら各係合具９ｃの各突出部９ｄの支持軸１０ｂを回動中心として、上部移送筒１０を折り畳み自在に操作できる構成である。又、この係合具９ｃは、上部移送筒１０が係合状態のときは、ロック状態になる構成である。折り畳みのときには、ロック状態を解除して行う構成である。
【００２４】
前記穀粒移送排出筒装置８の下部・上部移送筒９，１０へ軸支内装した上部・下部移送螺旋９ａ，１０ａの係合部には、各クラッチ爪（図示せず）設けて、上部移送筒１０を折り畳み時に、噛合、及び離脱を容易にした構成である。
【００２５】
前記下部移送筒９の外径部で係合具９ｃの下側部には、図１、及び図２で示す如く受板２１ａを固着して設け、この受板２１ａの外側面には、略へ字形状の案内ガイド杆２１ｂを設けた構成である。
【００２６】
前記上部移送筒１０の外径部で係合具９ｃの上側部には、図１、及び図２で示す如く所定間隔で支持板２２ａ，２２ａを設け、この支持板２２ａ，２２ａで回動ハンドル２２ｂを軸支して設け、この回動ハンドル２２ｂで上部移送筒１０を折り畳み操作する構成である。
【００２７】
前記上部移送筒１０を折り畳み操作により、この上部移送筒１０の作動に連動して、折り畳み部（ロ）である下部移送筒９の上側面部をカバーする。例えば、鉄板材等よりなるカバー具８ｂを開閉自在に設けた構成である。
【００２８】
前記カバー具８ｂは、図１、及び図２で示す如く略半円形状で、上端部は後方下部へ下り傾斜させた側板８ｃを設け、この側板８ｃの上端部には、天井板８ｄを固着して設けると共に、この天井板８ｄと、下部移送筒９の係合具９ｃの下側で外径部へ設けたコ字形状の取付板２０との間には、スプリング２０ａを設けて接続させた構成である。２３はロックハンドルであり、このロックハンドル２３を、係合具９ｃへ設けたロック受部２３ａへ回動操作して、ロック状態にする構成である。
【００２９】
前記カバー具８ｂは、上部移送筒１０を折り畳み状態へ操作すると、この操作の作動に連動して、カバー具８ｂはスプリング２０ａの弾発力により、閉状態へ作動され、このカバー具８ｂにより、下部移送筒９の上側部がカバーされる構成である。又、上部移送筒１０を折り畳み状態から穀粒排出状態へ操作すると、この操作の作動に連動して、この上部移送筒１０により、カバー具８ｂが開状態に作動操作される構成である。
【００３０】
前記穀粒貯留タンク６内の貯留穀粒を機外へ移送排出する。下部移送筒９と、上部移送筒１０との接合部を上下方向所定位置で、折り畳み自在なこの上部移送筒１０の折り畳み操作による作動に連動して、折り畳み部（ロ）の下部移送筒９の上側部をカバーする開閉自在なカバー具８ｂを設けたことにより、下側部の下部移送筒９内へ雨水の進入が防止できる。又、開口部が蓋されることにより、安全の確保ができる。
【００３１】
前記下部移送筒９の係合具９ｃの上側面部と、上部移送筒１０の係合具９ｃの下側面部との間には、図３で示す如くこの上部移送筒１０の折り畳み操作により、この上部移送筒１０の作動に連動して、折り畳み部（ロ）をカバーするジャバラ状の弾性材のゴム材、又は樹脂材等よりなるカバー具８ｂを設けた構成である。
【００３２】
前記上部移送筒１０を折り畳み状態に操作すると、カバー具８ｂのジャバラ部が伸びて外側部が扇状態になる構成である。又、上部移送筒１０を穀粒排出状態に操作すると、カバー具８ｂジャバラ部が圧縮状態になる構成である。
【００３３】
前記穀粒貯留タンク６内の貯留穀粒を機外へ移送排出する。下部移送筒９と、上部移送筒１０との接合部を上下方向所定位置で、折り畳み自在なこの上部移送筒１０の折り畳み操作による作動に連動して、折り畳み部（ロ）をカバーするジャバラ状の弾性材よりなるカバー具８ｂを設けたことにより、下側部の下部移送筒９内へ雨水の進入が防止できる。又、開口部が完全に蓋された状態になることにより、安全の確保ができる。
【００３４】
前記穀粒移送排出筒装置８の上部移送筒１０を、下部移送筒９に対して、収納状態の折り畳み状態に手動により、回動移動操作すると、上部移送筒１０は、図４、及び図５で示す如くコンバイン１の機体１ａの左斜め前方へ折り畳み状態で、収納された状態になる構成である。又、上部移送筒１０の穀粒移送終端部である排出筒１１の天井部は、水平より下方へ位置するように設けた構成である。
【００３５】
脱穀済みで前記穀粒貯留タンク６内へ貯留した穀粒を、機外へ排出する上下方向所定位置である。下部移送筒９の上側の上部移送筒１０を有する穀粒移送排出筒装置８のこの上部移送筒１０を収納状態へ折り畳み操作したときは、図４、及び図５で示す如くこの上部移送筒１０は、コンバイン１の機体１ａの左斜め前方へ折り畳み状態で、又、上部移送筒１０の移送終端部は、水平より下方へ位置させて収納すべく設け、これにより、この穀粒移送排出筒装置８の操作性の向上を図ることができる。又、機体１ａへ収納が容易である。更に、簡単な構成で機体１ａの右側方外側へ穀粒を排出することができる。穀粒移送排出筒装置８の全長を、規定範囲内の最長の長さにすることができる構成である。折り畳みした上部移送筒１０は、図５で示す如く受樋３２ｂを上端部へ装着した支持主柱３２ａよりなる支持装置３２で受けて、支持した構成である。支持主柱３２ａは、脱穀機５の揚穀筒５ａの上部へ装着して設けた構成である。
【００３６】
前記穀粒貯留タンク６の後側の後支持メタル６ｃと、穀粒移送排出筒装置８の下部移送筒９の回動メタル９ｂとには、図７で示す如くブレーキ装置２０を設けた構成である。
前記ブレーキ装置２４は、図７で示す如く後支持メタル６ｃの外周部へ取付板２５ａを固着して設け、この取付板２５ａには、支持ピン２５ｂを固着して設けた構成である。
【００３７】
又、前記回動メタル９ｂには、図７で示す如く長孔２６ｂを設けた回動板２６ａを装着して設け、この回動板２６ａの長孔２６ｂ部を、取付板２５ａの支持ピン２５ｂへ挿入し、回動板２６ａの外側面で、支持ピン２５ｂには、複数個のブレーキ板２７ａを挿入すると共に、この各ブレーキ板２７ａの外側で、支持ピン２５ｂには、各ナット２７ｂを螺挿入した構成である。この各ナット２７ｂの螺挿入位置により、ブレーキ力の調節ができる構成である。
【００３８】
前記穀粒移送排出筒装置８は、右側方外側の所定高さ位置へ回動移動操作しても、ブレーキ装置２４によって、穀粒移送排出筒装置８は、所定の調節位置で保持される構成である。
【００３９】
前記穀粒移送排出筒装置８の下部・上部移送筒９，１０とを設けた係合具９ｃと、支持軸１０ｂとは、図４で示す如く上部移送筒１０を収納状態位置へ折り畳み操作すると、この収納状態である最下降位置で、ロック位置（図示せず）でロック可能な構成である。この上部移送筒１０が最下降位置で、穀粒移送排出筒装置８の下部・上部移送筒９，１０、及び排出筒１１等を一体で、右側方外側へ回動移動操作可能な構成である。
【００４０】
これにより、前記穀粒移送排出筒装置８の上部移送筒１０を、地面に近い状態で、右側方外側へ回動移動操作することにより、安全な回動移動の作業ができる構成である。
前記穀粒移送排出筒装置８の上部移送筒１０の移送終端部に設けた排出筒１１の下側部には、図６で示す如くフレキシブル方式で、弾性材よりなるシュータ２８を装着して設けた構成である。このシュータ２８は、穀粒の排出位置を変形操作することにより、変更可能な構成であり、又、変更した変更形状を保持できる構成である。更に、折り畳み時に把持して操作する把持具８ａを上部移送筒１０へ設けた構成である。
【００４１】
前記穀粒貯留タンク６内の貯留穀粒を、機外へ移送排出する上下方向所定位置で、折り畳み自在で、一方側（右側）側方外側へ回動移動自在な穀粒移送排出筒装置８の上部移送筒１０の移送終端部に設けた排出筒１１の下端部には、フレキシブル方式で、弾性材よりなり、穀粒排出位置を変更可能で、又、変更した位置での変更形状を保持する構成としたことにより、トラック等へ穀粒を排出のときには、排出方向の変更、及び保持が容易である。又、排出変更の構成が簡単で、容易に変更することができる。
【００４２】
前記穀粒移送排出筒装置８の上部移送筒１０の先端近傍部には、シュータ２８を収納状態へ操作したときに、図６で示す如くこのシュータ２８を収納状態へ保持する収納用フック２８ａを設けた構成である。シュータ２８へ収納用フック２８ａを係合させて、所定位置へ収納する構成である。又、シュータ２８の収納は、上部移送筒１０の先端部を前方下部へ斜め状態へ折り畳み操作した時に形成される。この上部移送筒１０の上部側の所定角度（θ）の三角形状（ハ）部内へ収納して、収納状態にする構成である。
【００４３】
前記穀粒移送排出筒装置８の上部移送筒１０の先端近傍部へ設けた収納用フック２８ａを、シュータ２８へ係合させて収納するが、この収納は、上部移送筒１０の移送終端の先端部を、前方下部へ斜め状態へ折り畳み操作したときに、この上部移送筒１０の上側へ形成される。三角形状（ハ）部内へ収納することにより、このシュータ２８をコンパクトに収納することができる。又、収納が容易である。
【００４４】
前記穀粒移送排出筒装置８の上部移送筒１０の移送終端の先端部には、図６で示す如く穀粒を機外へ排出するシュータ２８を、直接装着して設けた構成である。このシュータ２８は、フレキシブル方式で、弾性材よりなり、又、穀粒の排出位置を変形操作することにより、変更可能な構成であり、更に、変更した変更形状を保持できる構成である。
【００４５】
前記シュータ２８は、穀粒移送排出筒装置８の上部移送筒１０の移送終端の先端部へ直接装着して設けたことにより、穀粒を排出する排出筒１１が不用となり、大巾なコスト低減を図ることができる。又、穀粒の排出構成が簡単である。
【００４６】
前記ブレーキ装置２４を作動操作するブレーキ用レバー２４ａは、図５、及び図９で示す如く排出筒１１を設けて、操縦席１７ｂへ着座して運転操作する運転者が操作可能位置へ設けた構成である。又、ブレーキ用レバー２４ａは、操縦席１７ｂの反対方向へ向くように装着した構成である。
【００４７】
これにより、収納時にブレーキ装置２４へブレーキ力を加えることにより、穀粒移送排出筒装置８の倒れ防止ができ、この倒れ防止を操縦席１７ｂより、容易に行うことができる。又、危険の防止ができる。
【００４８】
前記穀粒移送排出筒装置８を略垂直状態で走行したときに、図１０で示す如くこの穀粒移送排出筒装置８が、例えば、電話線の当接を防止する「ＯＮ」−「ＯＦＦ」スイッチ方式の障害物センサ２９を穀粒移送排出筒装置８の進行方向の前側で、穀粒貯留タンク６の上側面へ装着した構成である。
【００４９】
前記コンバイン１の走行が開始され、障害物センサ２９が障害物を検出して、「ＯＮ」されると、この「ＯＮ」が操作装置１７ａへ内装した制御装置（図示せず）へ入力されると、この入力により、制御装置で操作装置１７ａへ設けた警報装置１７ｃが作動制御されて、この警報装置１７ｃから警報を発して、その後にリターンする構成である。又、障害物センサ２９が障害物を検出しなく、「ＯＦＦ」状態が制御装置へ入力されると、この入力により、リターンする構成である。
【００５０】
前記障害物センサ２９が障害物を検出して、「ＯＮ」されると、制御装置により、エンジン１８が自動制御され、その後にリターンする構成である。又、障害物センサ２９が障害物を検出しなく、この障害物センサ２９の「ＯＦＦ」状態が制御装置へ入力されると、この入力により、リターンする構成である。
【００５１】
前記障害物センサ２９が障害物を検出して、「ＯＮ」されると、制御装置により、警報装置１７ｃにより、警報を発して、数秒後にＨＳＴを戻しが行われて、その後にリターンする構成である。又、障害物センサ２９の「ＯＦＦ」状態が制御装置へ入力されると、この入力により、リターンする構成である。
【００５２】
これにより、作業中に前記穀粒移送排出筒装置８の上部移送筒１０を折り畳み状態にしないことが予測され、このために、電話線等への接触を防止することが容易にできる。又、エンジン１８を停止させたり、更に、このエンジン１８の強制停止手段を行わずに、だめなときのみの停止を行うことができる。
【００５３】
前記穀粒移送排出筒装置８の上部・下部移送筒１０，９の折り畳み部（ロ）の上部移送筒１０の排出筒１１の下端部に、着脱自在に設けたシュータ２８を取り外して、図１１で示す如くこのシュータ２８を下部移送筒９の上端部へ着脱自在に設けた構成である。又は、取り外すことなく、専用のシュータ２８を設けた構成とするもよい。穀粒を排出する位置を短くした構成である。更に、下部移送筒９へ装着したシュータ２８の先端部を、下部移送筒９の上端部の内径部へ挿入可能な構成である。
【００５４】
これにより、前記穀粒移送排出筒装置８の穀粒排出作業状態に合わせて、穀粒を排出することができる。シュータ２８を装着時の穀粒漏れを防止することができる。簡単に排出位置の変更ができる。
【００５５】
前記穀粒移送排出筒装置８の上部・下部移送筒１０，９へ設けた、折り畳み部（ロ）の各係合具９ｃ，９ｃへ支持軸１０ｂを設けて接合させ、前方から上部移送筒１０へ外力が加わった場合には、図１２で示す如く後方へ退避可能な屈折回動支点とした構成である。又、この屈折回動支点である支持軸１０ｂ部は、穀粒貯留タンク６の天井部より、所定寸法下方へ位置させて設けた構成である。
【００５６】
前記穀粒移送排出筒装置８の上部移送筒１０が折り畳み操作されたときには、所定の折り畳み位置で、この上部移送筒１０を受けるストッパ装置３０を設けた構成である。このストッパ装置３０は、図１２で示す如く下部移送筒９の上部位置へ設けた支持杆３０ａへ弾性部材のゴム材、又は樹脂材等よりなるストッパ板３０ｂを装着して設けて、このストッパ板３０ｂで上部移送筒１０を支持した構成である。又、屈折回動支点の支持軸１０ｂを設ける係合具９ｃと、支持杆３０ｄとの間には、スプリング３０ｃを設け、このスプリング３０ｃや、ブレーキ装置２４等の加重が加わると解除されるロック（図示せず）を設けた構成である。
【００５７】
これらにより、作業時の接触による破損を防止することができる。屈折回動支点が穀粒貯留タンク６の天井部より、下部へ位置していることにより、折り畳み部の破損を防止できる。ストッパ板３０ｂ、及びスプリング３０ｃを設けたことにより、上部移送筒１０の破損を防止できる。
【００５８】
前記操作装置１７ａの表面板１７ｃへ設けた略クランク形状の操作溝１７ｄ内には、図１３、及び図１４で示す如く穀粒移送排出筒装置８の倒れを防止するブレーキ装置２４を操作するブレーキ用レバー２４ａをブレーキ支持軸２４ｂで軸支すると共に、このブレーキ用レバー２４ａには、排出クラッチレバー３１ａのガイド板３１ｂを挿入して、クラッチ支持軸３１ｂで軸支して設けた構成である。ブレーキ用レバー２４ａの「入」状態でしか、排出クラッチ（図示せず）を「入」−「切」操作する排出クラッチレバー３１ａを「入」状態に操作できない構成である。一本のブレーキ用レバー２４ａで両者の操作ができる構成である。
【００５９】
これにより、穀粒排出中の前記穀粒移送排出筒装置８の下がりを防止することができる。又、コストダウンが可能であり、操作性の向上を図ることができる。
前記操作装置１７ａの表面板１７ｃへ設けた操作溝１７ｄは、図１３、及び図１５で示す如く略Ｕ字形状に形成し、この操作溝１７ｄには、ブレーキ用レバー２４ａを挿入した構成である。
【００６０】
これにより、コストダウンが可能であり、又、操作性の向上を図ることができる。
前記穀粒移送排出筒装置８は、図１６で示す如く上部・下部移送筒１０，９と、この上部移送筒１０の移送終端部へ排穀口１１ａを有する排出筒１１と、この排出筒１１の下端部にシュータ２８とを設けた構成である。この穀粒移送排出筒装置８は、下部移送筒９の下端部で回動自在な構成であり、又、上部・下部移送筒１０，９の上下方向所定位置で折り畳み自在に設けた構成である。
【００６１】
上記構成において、前記上部移送筒１０の折り畳み方向は、図１６で示す如く機体１ａの一方側（右側）の外側へ折り畳み自在に設けた構成である。
これにより、前記穀粒移送排出筒装置８は、上下方向の長さの制限は発生するが、コンパクト化を図ることができる。
【００６２】
前記穀粒移送排出筒装置８は、図１６〜図１８で示す如く機体１ａの側方外側へ（θ１）角度で折り畳み状態に操作する構成である。この操作したときには、シュータ２８を回動操作して、このシュータ２８の排穀口２８ｂが後方になる構成である。又、上部移送筒１０の略中間部位置には、穀粒排出のときに排出操作する排出クラッチレバー３１ａを設けた構成である。
【００６３】
これにより、コンパクトに前記シュータ２８を収納することができる。穀粒移送排出筒装置８の回動の妨げにならない。穀粒貯留タンク６が右外側へ回動方式の構成であっても、回動の妨げになることはない。
【図面の簡単な説明】
【００６４】
【図１】穀粒移送排出筒装置のカバー具の拡大側面図
【図２】穀粒移送排出筒装置のカバー具の拡大平面図
【図３】穀粒移送排出筒装置のカバー具の拡大側面図
【図４】穀粒移送排出筒装置部の側面図
【図５】穀粒移送排出筒装置の拡大平面図
【図６】穀粒移送排出筒装置の背面図
【図７】ブレーキ装置部の拡大側面斜視図
【図８】コンバインの左側全体側面図
【図９】他の実施例を示す図で、穀粒移送排出筒装置部の背面図
【図１０】他の実施例を示す図で、障害物センサ部の側面図
【図１１】他の実施例を示す図で、穀粒移送排出筒装置部の背面図
【図１２】他の実施例を示す図で、穀粒移送排出筒装置部の側面図
【図１３】他の実施例を示す図で、ブレーキ用レバー部と、排出クラッチレ              バー部との拡大側面図
【図１４】他の実施例を示す図で、ブレーキ用レバー部と、排出クラッチレ              バー部との拡大作用図
【図１５】他の実施例を示す図で、ブレーキ用レバー部と、排出クラッチレ              バー部との拡大作用図
【図１６】他の実施例を示す図で、穀粒移送排出筒装置部の拡大背面図
【図１７】他の実施例を示す図で、穀粒移送排出筒装置部の平面図
【図１８】他の実施例を示す図で、穀粒移送排出筒装置部のシュータ部の拡              大平面図
【符号の説明】
【００６５】
２      走行車台
５      脱穀機
６      穀粒貯留タンク
８      穀粒移送排出筒装置
８ｂ    カバー具
９      下部移送筒
１０    上部移送筒
１１    排出筒
１１ａ  排穀口
２８    シュータ
ロ      折り畳み部
【図１】
2006149321.tif 000003
【図２】
2006149321.tif 000004
【図３】
2006149321.tif 000005
【図４】
2006149321.tif 000006
【図５】
2006149321.tif 000007
【図６】
2006149321.tif 000008
【図７】
2006149321.tif 000009
【図８】
2006149321.tif 000010
【図９】
2006149321.tif 000011
【図１０】
2006149321.tif 000012
【図１１】
2006149321.tif 000013
【図１２】
2006149321.tif 000014
【図１３】
2006149321.tif 000015
【図１４】
2006149321.tif 000016
【図１５】
2006149321.tif 000017
【図１６】
2006149321.tif 000018
【図１７】
2006149321.tif 000019
【図１８】
2006149321.tif 000020